(57)【要約】  化粧パネルの温度変化に伴うきしみ音の発生を低減させる室内ユニットおよび化粧パネルを提供する。  パネル本体４０と、パネル本体４０の裏面に設けられパネル本体４０とは異なる材質の断熱部材５０と、を備える化粧パネル３０において、パネル本体４０は、断熱部材５０とパネル本体４０とが重なりあう重複区域であるはめ込み部３３に柱部材４５を備え、柱部材４５は、断熱部材５０と当接する当接部５６と、断熱部材５０と当接しない非当接部５７と、を備えた。
2018038106.tif 000002
【特許請求の範囲】
【請求項１】
パネル本体と、前記パネル本体の裏面に設けられ前記パネル本体とは異なる材質の断熱部材と、を備える化粧パネルにおいて、
前記パネル本体は、前記断熱部材と前記パネル本体とが重なりあう重複区域に柱部材を備え、
前記柱部材は、前記断熱部材と当接する当接部と、前記断熱部材と当接しない非当接部と、を備えることを特徴とする化粧パネル。
【請求項２】
前記当接部および前記非当接部は、複数設けられていることを特徴とする請求項１に記載の化粧パネル。
【請求項３】
前記当接部は、平坦に形成され、
前記断熱部材のうち前記当接部と当接する面も平坦に形成されていることを特徴とする請求項１または請求項２に記載の化粧パネル。
【請求項４】
前記柱部材は、直線形状に形成されており、複数設けられていることを特徴とする請求項１から請求項３の何れか一項に記載の化粧パネル。
【請求項５】
前記柱部材と交わる補強部材をさらに備え、
前記補強部材の高さは、前記柱部材の高さよりも低いことを特徴とする請求項１から請求項４の何れか一項に記載の化粧パネル。
【請求項６】
前記補強部材は、直線形状に形成されており、複数設けられていることを特徴とする請求項５に記載の化粧パネル。
【請求項７】
前記柱部材と交わる補強部材をさらに備え、
前記補強部材の高さは、前記柱部材と同じ高さを備え、
前記補強部材は、前記当接部および前記非当接部を備えることを特徴とする請求項１から請求項４の何れか一項に記載の化粧パネル。
【請求項８】
前記補強部材は、直線形状に形成されており、複数設けられていることを特徴とする請求項７に記載の化粧パネル。
【請求項９】
筐体と化粧パネルとを備える室内ユニットにおいて、
前記化粧パネルは、パネル本体と、前記パネル本体の裏面に設けられ前記パネル本体とは異なる材質の断熱部材と、を備え、
前記パネル本体は、前記断熱部材と前記パネル本体とが重なりあう重複区域に柱部材を備え、
前記柱部材は、前記断熱部材と当接する当接部と、前記断熱部材と当接しない非当接部と、を備えることを特徴とする室内ユニット。
【発明の詳細な説明】
【技術分野】
【０００１】
本発明は、空気調和装置の室内ユニットに設けられる室内ユニットおよび化粧パネルに関する。
【背景技術】
【０００２】
従来、空気調和装置の室内ユニットには、被調和室側から室内ユニット本体を覆う化粧パネルが設けられている。
この種の化粧パネルは、被調和室側に臨むパネル本体と、このパネル本体の内側に設けられる断熱部材と、を備えて構成され、また、空調後の空気を室内に吹き出す吹出口を備えている（例えば、特許文献１参照）。
断熱部材は、パネル本体と接触するようにパネル本体の内側に取り付けられている。そして、パネル本体と断熱部材とは、異なる材質により作られている。【０００３】
ところで、空気調和装置を運転する場合、冷房運転時においては、吹出口から冷風が吹出されるため、吹出口近傍のパネル本体および断熱部材の温度が低下する。また、暖房運転時には、吹出口から温風が吹出されるため、吹出口近傍のパネル本体および断熱部材の温度が上昇する。
これらパネル本体および断熱部材は、温度の低下または上昇にともない、収縮または膨張する。
【先行技術文献】
【特許文献】
【０００４】
【特許文献１】特許第５５１７６７３号公報
【発明の概要】
【発明が解決しようとする課題】
【０００５】
しかしながら、パネル本体の収縮率および膨張率と断熱部材の収縮率および膨張率とがそれぞれ異なるため、空気調和装置を運転している際の温度変化に伴って、きしみ音が発生してしまう。
本発明は、上述した事情に鑑みてなされたものであり、化粧パネルの温度変化に伴うきしみ音の発生を低減させる室内ユニットおよび化粧パネルを提供することを目的とする。
【課題を解決するための手段】
【０００６】
この明細書には、２０１６年８月２３日に出願された日本国特許出願・特願２０１６−１６２６４１の全ての内容が含まれる。
上記目的を達成するために、本発明は、パネル本体と、前記パネル本体の裏面に設けられ前記パネル本体とは異なる材質の断熱部材と、を備える化粧パネルにおいて、前記パネル本体は、前記断熱部材と前記パネル本体とが重なりあう重複区域に柱部材を備え、前記柱部材は、前記断熱部材と当接する当接部と、前記断熱部材と当接しない非当接部と、を備えることを特徴とする。
この発明によれば、パネル本体と断熱部材とが当接する面積を減らすことができるため、化粧パネルの温度変化に伴うきしみ音の発生を低減させる室内ユニットおよび化粧パネルを提供できる。
【発明の効果】
【０００７】
本発明の室内ユニットおよび化粧パネルでは、化粧パネルの温度が上昇または低下する場合に、パネル本体と断熱部材とがきしみ音を発生させにくい化粧パネルを提供できる。
【図面の簡単な説明】
【０００８】
【図１】図１は、本発明の実施形態に係る空気調和装置の室内ユニットの側部断面図
【図２】図２は、室内ユニットの斜視図
【図３】図３は、化粧パネルを裏面から見た分解斜視図
【図４】図４は、パネル本体を裏面から見た斜視図
【図５】図５は、重複区域の拡大図
【図６】図６は、断熱部材とリブの接触箇所を示す模式図
【図７】図７は、図６に示すＡ−Ａ断面図
【図８】図８は、図６に示すＢ−Ｂ断面図
【発明を実施するための形態】
【０００９】
第１の発明は、パネル本体と、前記パネル本体の裏面に設けられ前記パネル本体とは異なる材質の断熱部材と、を備える化粧パネルにおいて、前記パネル本体は、前記断熱部材と前記パネル本体とが重なりあう重複区域に柱部材を備え、前記柱部材は、前記断熱部材と当接する当接部と、前記断熱部材と当接しない非当接部と、を備えることを特徴とする化粧パネルである。
この発明によれば、パネル本体と断熱部材とが当接する面積を減らすことができるため、化粧パネルの温度変化に伴うきしみ音の発生を低減させる化粧パネルを提供することができる。
【００１０】
第２の発明は、前記当接部および前記非当接部は、複数設けられていることを特徴とする化粧パネルである。
この発明によれば、当接部を複数設けることができ、複数の個所において少しずつパネル本体と断熱部材とを当接させることができ、断熱部材をパネル本体により安定して支持可能となるとともに、パネル本体と断熱部材とが当接する面積を減らすことができる。
【００１１】
第３の発明は、前記当接部は、平坦に形成され、前記断熱部材のうち前記当接部と当接する面も平坦に形成されていることを特徴とする化粧パネルである。
この発明によれば、当接部の面積が小さい場合でも当接部全体により断熱部材を支えることができるため、断熱部材を安定して保持することができる。
【００１２】
第４の発明は、前記柱部材は、直線形状に形成されており、複数設けられていることを特徴とする化粧パネルである。
この発明によれば、柱部材を複数設けることにより、パネル本体と断熱部材とが当接する面積を減らした場合にもパネル本体の強度をより強くできる。
【００１３】
第５の発明は、前記柱部材と交わる補強部材をさらに備え、前記補強部材の高さは、前記柱部材の高さよりも低いことを特徴とする化粧パネルである。
この発明によれば、柱部材と交わる補強部材を設けることによりパネル本体の重複区域部分の強度をより強くできる。また、補強部材の高さが柱部材の高さよりも低いため、補強部材と断熱部材とは当接せず、補強部材を設けたとしてもパネル本体と断熱部材とが当接する面積を増やすことなくパネル本体と断熱部材とがきしみ音を発生させにくい化粧パネルを提供できる。
【００１４】
第６の発明は、前記補強部材は、直線形状に形成されており、複数設けられていることを特徴とする化粧パネルである。
この発明によれば、柱部材と交わる補強部材が所定の間隔をあけて複数設けられるため、パネル本体の強度をより強くできる。
【００１５】
第７の発明は、前記柱部材と交わる補強部材をさらに備え、前記補強部材の高さは、前記柱部材と同じ高さを備え、前記補強部材は、前記当接部および前記非当接部を備えることを特徴とする化粧パネルである。
この発明によれば、柱部材に加えて補強部材においても断熱部材を保持できるため、より安定してパネル本体に断熱部材を設けることができるとともに、補強部材によりパネル本体の強度をより強くできる。
また、補強部材にも非当接部を設けているので、上記利点を生かしつつもパネル本体と断熱部材との当接面積を減らすことのできる化粧パネルを提供できる。
【００１６】
第８の発明は、前記補強部材は、直線形状に形成されており、複数設けられていることを特徴とする化粧パネルである。
この発明によれば、柱部材と交わる補強部材が所定の間隔をあけて複数設けられるため、パネル本体の強度をより強くできる。
【００１７】
第９の発明は、筐体と化粧パネルとを備える室内ユニットにおいて、前記化粧パネルは、パネル本体と、前記パネル本体の裏面に設けられ前記パネル本体とは異なる材質の断熱部材と、を備え、前記パネル本体は、前記断熱部材と前記パネル本体とが重なりあう重複区域に柱部材を備え、前記柱部材は、前記断熱部材と当接する当接部と、前記断熱部材と当接しない非当接部と、を備えることを特徴とする室内ユニットである。
この発明によれば、パネル本体と断熱部材とが当接する面積を減らすことができるため、化粧パネルの温度変化に伴うきしみ音の発生を低減させる室内ユニットを提供することができる。
【００１８】
以下、本発明の実施の形態について、図面を参照しながら説明する。なお、本実施の形態によって本発明が限定されるものではない。
【００１９】
（実施の形態）
図１は、本発明の実施の形態に係る空気調和装置の室内ユニット１０の側部断面図である。図２は、室内ユニット１０の斜視図である。図３は、化粧パネル３０を裏面から見た分解斜視図である。図４は、パネル本体４０を裏面から見た斜視図である。
なお、以下の説明において、上下、内外とは、化粧パネル３０を筐体１４に取り付けた状態においての室内ユニット１０を基準として説明している。また、空調後の空気が吹出される空間を被調和室としている。また、パネル本体４０を被調和室側からみた面を表面とし、表面と反対側の面を裏面としている。
【００２０】
室内ユニット１０は、被調和室の天井１１とこの天井１１の下方に設置された天井板１２との間の天井空間１３に設置される。この室内ユニット１０は、筐体１４と、筐体１４の下側開口を覆う化粧パネル３０とを備えている。
筐体１４の外側角部には、吊り用金具２１が取り付けられている。筐体１４は、吊り用金具２１に連結された吊りボルト２２によって天井１１から吊り下げられている。この筐体１４の内側には、発泡スチロール製の本体用断熱部材１６が設けられている。
【００２１】
筐体１４の上板の下面には、ファンモータ２４が取り付けられており、このファンモータ２４には、ファンモータ２４の駆動により回転駆動される回転シャフト２５が下方に延在して設けられている。この回転シャフト２５の下端部分には、遠心ファン２３が取り付けられており、このファンモータ２４と遠心ファン２３とが送風機２６を構成している。
【００２２】
送風機２６の下方には、オリフィス２０が配置されている。このオリフィス２０は、周面が弧状に形成された環状に形成されている。
送風機２６と本体用断熱部材１６との間には、送風機２６の側方を取り囲むように、平面視においてほぼ四角形状に曲折形成された熱交換器１７が配置されている。
熱交換器１７の下側には、熱交換器１７の下面に対向してドレンパン１９が配置されている。このドレンパン１９は、熱交換器１７により発生するドレン水を受けるためのものである。
【００２３】
筐体１４の下面には、ほぼ四角形状の化粧パネル３０が筐体１４の下側開口を覆って取り付けられている。
化粧パネル３０は、図３に示すように、パネル本体４０と、パネル本体の裏面に設けられる断熱部材５０と、を備える。
【００２４】
パネル本体４０は、中央部分に吸い込み口３１を備える。この吸い込み口３１は、被調和室から空調前の空気を吸い込む部分であり、吸い込み口３１は、矩形に形成されている。
パネル本体の裏面であり、吸い込み口３１の外周方向外側であって化粧パネル３０の各辺に沿った位置には、断熱部材５０をはめ込み可能に形成された矩形のはめ込み部（重複区域）３３がそれぞれ備えられている。このはめ込み部（重複区域）３３は、断熱部材５０とパネル本体４０とが重なる区域である。
はめ込み部３３の中央部には、空調後の空気を被調和室に送る吹出口３４がそれぞれ形成されている。この吹出口３４は、矩形に形成されている。
【００２５】
断熱部材５０は、発泡スチロール製であり、はめ込み部３３にはめ込み可能となるよう矩形に形成されている。断熱部材５０の外周は、吹出口３４の外周よりも長い。
断熱部材５０は、中央部に矩形に形成された開口部５１を備える。この開口部５１の外周は、パネル本体４０に設けられる吹出口３４の外周と一致するように形成されている。はめ込み部３３に断熱部材がはめ込まれた状態において、吹出口３４の位置と開口部５１の位置とは、高さ方向に一致している。
断熱部材５０のパネル本体４０と接する側の面は、平坦に形成されている。
【００２６】
はめ込み部３３は、第１のリブ（柱部材）４５を備える。
この第１のリブ４５は、横方向に直線形状に形成されており、所定の間隔をあけて平行に複数設けられている。すなわち、吹出口３４の外端４１とパネル本体４０の外周部４３との間には、断熱部材５０の長辺の延びる方向と平行に延びる第１のリブ４５が複数備えられている。この第１のリブ４５は、はめ込み部３３の右端から左端にかけて横方向に連続して形成されている。
第１のリブ４５は、樹脂により形成されている。
【００２７】
また、はめ込み部３３は、第１のリブ４５と垂直に交わる第２のリブ（補強部材）４６を備える。
この第２のリブ４６は、直線形状に形成されており、所定の間隔をあけて平行に複数設けられている。すなわち、吹出口３４の外端４１とパネル本体４０の外周部４３との間には、第１のリブ４５と垂直に交わる第２のリブ４６が所定の間隔をあけて複数備えられている。この第２のリブ４６は、吹出口３４の外端４１とパネル本体４０の外周部４３との間の内端から外端にかけて連続して形成されている。
第２のリブ４６は、樹脂により形成されている。
図５に示すように、この第２のリブ４６の高さＨ２は、第２のリブ４６と隣接する第１のリブ４５の高さＨ１よりも低く形成されている。そのため、第１のリブ４５の当接部５６と断熱部材５０の底面５２とが当接した場合にも、第２のリブ４６は、断熱部材５０と当接しない。
【００２８】
この第１のリブ４５および第２のリブ４６は、吹出口３４の内端４８とパネル本体４０の内周部４９との間にも同様に備えられている。
第１のリブ４５および第２のリブ４６は、樹脂により形成されており、発泡スチロールにより形成される断熱部材５０とは、材質が異なる。
第１のリブ４５と第２のリブ４６とは、上面視において格子状に形成されている。
【００２９】
図６は、断熱部材５０と第１のリブ４５の接触箇所を示す模式図である。図７は、図６に示すＡ−Ａ断面図である。図８は、図６に示すＢ−Ｂ断面図である。
第１のリブ４５は、パネル本体４０から垂直上方向に延びて形成されている。第１のリブ４５は、断熱部材５０の底面５２と当接する当接部５６と、断熱部材５０と当接しない非当接部５７と、を備える。
当接部５６と非当接部５７とは、交互に連続して形成されている。当接部５６は、図７に示すように、平坦に形成されている。また、断熱部材５０の底面（断熱部材のうち当接部と当接する面）５２は、平坦に形成されている。当接部５６と断熱部材５０の底面はともに平坦に形成されているため、当接部５６の全体が断熱部材５０の底面と接触する。
本実施の形態では、非当接部５７は、第１のリブ４５のうち、第１のリブ４５に対して垂直に交わる２つの第２のリブ４６と第２のリブ４６との間にそれぞれ設けられている。
【００３０】
次に、本実施形態の作用について説明する。
空気調和装置の運転により、吸い込み口３１から吸い込まれた空気が室内ユニット１０により熱交換され、熱交換された空気は、吹出口３４から被調和室へ送られる。
このとき、吹出口３４の近傍を中心として化粧パネル３０は、温度の上昇または低下に伴い膨張または収縮する。化粧パネル３０に備えられる第１のリブ４５および第２のリブ４６、断熱部材５０も、温度の上昇または低下に伴い膨張または収縮する。
ここで、第１のリブ４５および第２のリブ４６は樹脂製であり、断熱部材５０は発泡スチロール製であるため、第１のリブ４５および第２のリブ４６と断熱部材５０とでは材質が異なり、温度の上昇または低下に伴い膨張または収縮する率が異なる。
【００３１】
パネル本体４０のはめ込み部３３に断熱部材５０がはめ込まれたとき、パネル本体４０と断熱部材５０との当接箇所は、第１のリブ４５および第２のリブ４６に備えられる当接部５６のみとなり、パネル本体４０と断熱部材５０との接触面積が小さくなる。
そのため、膨張または収縮する率の違いによる第１のリブ４５および第２のリブ４６と断熱部材５０とのこすれ等がごくわずかな接触面積部分でしか発生しない。
これにより、化粧パネル３０および断熱部材５０の温度変化に伴うきしみ音の発生を低減させることができる。
【００３２】
以上説明したように、本実施の形態に係る化粧パネル３０は、断熱部材５０とパネル本体４０とが重なりあうはめ込み部（重複区域）３３に第１のリブ（柱部材）４５を備え、第１のリブ４５は、断熱部材５０と当接する当接部５６と、断熱部材５０と当接しない非当接部５７と、を備えた。
この構成によれば、パネル本体４０と断熱部材５０とが当接する面積を減らすことができるため、化粧パネル３０および断熱部材５０の温度変化に伴うきしみ音の発生を低減させることができる室内ユニット１０および化粧パネル３０を提供できる。
また、パネル本体４０の製造時において、第１のリブ４５として充填する樹脂が多少不足したとしても、樹脂の不足する箇所は非当接部５７となるため、仮に樹脂が不足したとしてもパネル本体４０としての性能に問題はなく、パネル本体４０、ひいては化粧パネル３０の製造を容易化できる。
【００３３】
また、本実施の形態によれば、第１のリブ（柱部材）４５に、当接部５６および非当接部５７を複数設けた。
この構成によれば、当接部５６を複数設けることができ、複数の個所において少しずつパネル本体４０と断熱部材５０とを当接させることができ、パネル本体４０を安定して支持可能となるとともに、パネル本体４０と断熱部材５０とが当接する面積を減らすことができる。
【００３４】
また、本実施の形態によれば、当接部５６は、平坦に形成され、断熱部材５０の底面５２（断熱部材のうち前記当接部と当接する面）も平坦に形成されている。
この構成によれば、の面積が小さい場合でも当接部５６全体により断熱部材５０を支えることができるため、断熱部材５０を安定して保持できる。
【００３５】
また、本実施の形態によれば、第１のリブ（柱部材）４５は、直線形状に形成され、複数設けられている。この第１のリブ４５は、所定の間隔をあけて平行に複数設けられている。
この構成によれば、パネル本体４０と断熱部材５０とが当接する面積を減らした場合にもパネル本体４０の強度をより強くできる。
【００３６】
また、本実施の形態によれば、第１のリブ（柱部材）４５と交わる第２のリブ（補強部材）４６をさらに備え、第２のリブ４６の高さは、第１のリブ４５の高さよりも低く形成されている。この第２のリブ４６は、第１のリブ４５と垂直に交わって形成されている。
この構成によれば、第１のリブ４５と交わる第２のリブ４６を設けることによりパネル本体４０のはめ込み部（重複区域）３３の強度をより強くできる。また、第２のリブ４６の高さが第１のリブ４５の高さよりも低いため、第２のリブ４６と断熱部材５０とは当接せず、第２のリブ４６を設けたとしてもパネル本体４０と断熱部材５０とが当接する面積を増やすことなく、パネル本体４０と断熱部材５０とがきしみ音を発生させにくい化粧パネル３０を提供できる。
【００３７】
また、本実施の形態によれば、第２のリブ（補強部材）４６は、直線形状に形成されており、複数設けられている。この第２のリブ４６は、所定の間隔をあけて平行に複数設けられている。
この構成によれば、第１のリブ（柱部材）４５と交わる第２のリブ４６が所定の間隔をあけて複数設けられるため、パネル本体４０の強度をより強くできる。
【００３８】
また、第１のリブ（柱部材）４５と交わる第２のリブ（補強部材）４６の高さを第１のリブ４５と同じ高さとし、この第２のリブ４６は、当接部５６および非当接部５７を備えるようにしてもよい。
この構成によれば、第１のリブ４５に加えて第２のリブ４６においても断熱部材５０を保持できるため、より安定してパネル本体４０に断熱部材５０を設けることができるとともに、第２のリブ４６によりパネル本体４０の強度をより強くできる。
また、第２のリブ４６にも非当接部５７を設けているので、上記利点を生かしつつもパネル本体４０と断熱部材５０との当接面積を減らすことのできる化粧パネル３０を提供できる。
【００３９】
また、第１のリブ（柱部材）４５と交わる第２のリブ（補強部材）４６の高さを第１のリブ４５と同じ高さとし、この第２のリブ４６は、当接部５６および非当接部５７を備えた場合において、第２のリブ４６を直線形状に形成し、複数設けていてもよい。この第２のリブ４６は、所定の間隔をあけて平行に複数設けられていてもよい。
この構成によれば、第１のリブ４５と交わる第２のリブ４６が所定の間隔をあけて複数設けられるため、パネル本体４０の強度をより強くできる。
【００４０】
以上、一実施の形態に基づいて本発明を説明したが、本発明はこの実施形態に限定されるものではない。あくまでも本発明の一実施の態様を例示するものであるから、本発明の趣旨を逸脱しない範囲において任意に変更、及び応用が可能である。
【００４１】
例えば、第１のリブ４５と第２のリブ４６とは必ずしも垂直に交わるものでなくてもよく、任意に交わる角度を調整できる。
【００４２】
また、例えば、これら第１のリブ４５および第２のリブ４６は、複数でなく１つのみであってもよい。
【００４３】
また、例えば、第２のリブ４６を設けず、第１のリブ４５のみであってもよい。この場合、第１のリブ４５は、１つであってもよいし、複数備えていてもよい。
【００４４】
また、例えば、第２のリブ４６を設けず、第１のリブ４５を、吹出口３４の外端４１とパネル本体４０の外周部４３との間に、吹出口３４の外端４１とパネル本体４０の外周部４３との間の内端から外端にかけて連続して備えていてもよい。この場合、第１のリブ４５は、１つであってもよいし、複数備えていてもよい。
【００４５】
また、本実施の形態では、柱部材として横方向に真っすぐ延びる第１のリブ４５を示したが、柱部材は、必ずしもこれに限られるものではない。柱部材として、例えば、上面視において中空円筒状のリブを形成してもよいし、上面視において中空四角形状のリブを形成するなどしてもよい。また、例えば、上面視において波状やコ字状やＬ字状やＣ字状となるように柱部材としてのリブを形成してもよい。これらの場合、リブの上部に当接部および非当接部を設ければよい。
上記のように、当接部および非当接部を設けることにより、パネル本体４０と断熱部材５０とが当接する面積を減らすことができ、パネル本体と断熱部材とがきしみ音を発生させにくくなる形状のものであればよい。
【００４６】
また、本実施の形態では、パネル本体４０に断熱部材５０をはめ込む形状としたが、必ずしもそれに限られない。単にパネル本体４０と断熱部材５０とが接触するものであれば適用可能である。
【００４７】
また、本実施の形態では、パネル本体４０のうち、パネル本体４０と断熱部材５０とが高さ方向に重なり合う位置に第１のリブ（柱部材）４５、第２のリブ（補強部材）４６を備えるが、パネル本体４０のうち、パネル本体４０と断熱部材５０とが水平方向に重なり合う位置に第１のリブ（柱部材）４５、第２のリブ（補強部材）４６を備えていてもよい。
【００４８】
また、例えば、当接部５６の上部は、上方に向かって丸みを帯びた凸形状としてもよい。
この場合、柱部材のうち、上方に向かって丸みを帯びた凸形状の上端面が当接部となり、その余の部分が非当接部となる。この場合、当接部と断熱部材５０との接触面積をさらに減らすことができ、よりパネル本体４０と断熱部材５０とがきしみ音を発生させにくい化粧パネル３０を提供できる。
【００４９】
また、本実施の形態では、吹出口３４が４方向に設けられる天井埋込型の室内ユニット１０により説明したが、例えば、吹出口が３方向に設けられる天井埋込型の室内ユニット、吹出口が２方向に設けられる天井埋込型の室内ユニット、吹出口が１方向に設けられる天井埋込型の室内ユニットなど、その他の室内ユニットにも適用が可能である。
【符号の説明】
【００５０】
１０  室内ユニット
１４  筐体
３０  化粧パネル
３１  吸い込み口
３３  はめ込み部（重複区域）
３４  吹出口
４０  パネル本体
４１  吹出口の外端
４３  パネル本体の外周部
４５  第１のリブ（柱部材）
４６  第２のリブ（補強部材）
４８  吹出口の内端
４９  パネル本体の内周部
５０  断熱部材
５１  開口部
５２  断熱部材の底面（断熱部材のうち当接部と当接する面）
５６  当接部
５７  非当接部
Ｈ１  第１のリブの高さ
Ｈ２  第２のリブの高さ
【図１】
2018038106.tif 000003
【図２】
2018038106.tif 000004
【図３】
2018038106.tif 000005
【図４】
2018038106.tif 000006
【図５】
2018038106.tif 000007
【図６】
2018038106.tif 000008
【図７】
2018038106.tif 000009
【図８】
2018038106.tif 000010
【国際調査報告】
2018038106.tif 000011
2018038106.tif 000012
2018038106.tif 000013
2018038106.tif 000014